(57)【要約】【課題】流量調節弁６を介設したガス供給路４の下流端がファン２の上流側の空気供給路３に接続され、空気供給路の通気抵抗を大小に切換える空気抵抗切換手段と、ガス供給路の通気抵抗を大小に切換えるガス抵抗切換手段とを備える予混合装置において、空気供給路の通気抵抗を大きくするときも安定して燃料ガスを導入できると共に、混合気の空燃比の分布ムラの発生も防止できるようにする。【解決手段】空気抵抗切換手段たるバタフライ弁７の下流側の空気供給路の部分にベンチュリ部３１が設けられる。ガス抵抗切換手段８の下流側のガス供給路の部分に、ベンチュリ部を全周に亘り囲うガス室４１と、ガス室４１からベンチュリ部３１の下流側に隣接する空気供給路の部分の全周に亘り燃料ガスを吸引するガス吸引部４２とが設けられる。【選択図】図１
2015230113.tif 000002
【特許請求の範囲】
【請求項１】
空気に燃料ガスを混合し、混合気をファンを介してバーナに供給する予混合装置であって、燃料ガスを供給する流量調節弁を介設したガス供給路の下流端がファンの上流側の空気供給路に接続され、空気供給路の通気抵抗を大小に切換える空気抵抗切換手段と、流量調節弁よりも下流側のガス供給路の部分の通気抵抗を大小に切換えるガス抵抗切換手段とを備えるものにおいて、
空気抵抗切換手段は、空気供給路内に回動自在に設けられたバタフライ弁で構成され、
バタフライ弁の下流側の空気供給路の部分に、バタフライ弁を配置した空気供給路の部分と同心で、且つ、この部分よりも断面積が小さなベンチュリ部が設けられ、
ガス抵抗切換手段の下流側のガス供給路の部分に、ベンチュリ部を全周に亘り囲うガス室と、ガス室からベンチュリ部の下流側に隣接する空気供給路の部分に燃料ガスを吸引するガス吸引部とが設けられ、ガス吸引部は、ベンチュリ部の下流側に隣接する空気供給路の部分の全周に亘り燃料ガスが吸引されるように形成されることを特徴とする予混合装置。
【請求項２】
前記バタフライ弁の回転軸線に直交する断面形状はひし形であることを特徴とする請求項１記載の予混合装置。
【発明の詳細な説明】
【技術分野】
【０００１】
本発明は、空気に燃料ガスを混合し、混合気をファンを介してバーナに供給する予混合装置に関する。
【背景技術】
【０００２】
従来、この種の予混合装置として、特許文献１により、燃料ガスを供給する流量調節弁を介設したガス供給路の下流端がファンの上流側の空気供給路に接続され、空気供給路の通気抵抗を大小に切換える空気抵抗切換手段と、流量調節弁よりも下流側のガス供給路の部分の通気抵抗を大小に切換えるガス抵抗切換手段とを備えるものが知られている。
【０００３】
ところで、流量調節弁として比例弁を用いる場合は、要求燃焼量に応じた量の燃料ガスが供給されるように比例弁が制御され、更に、バーナに供給される混合気の空燃比が一定になるように、要求燃焼量に応じてファン回転数が制御される。但し、要求燃焼量が所定値以下になって、ファン回転数が送風量の比例特性を維持できる下限回転数以下になったり、比例弁電流（比例弁への通電電流）がガス供給量の比例特性を維持できる下限電流以下になった場合には、要求燃焼量に応じた量の空気や燃料ガスを供給できなくなる。
【０００４】
また、流量調節弁として、二次ガス圧を大気圧に維持するゼロガバナを用いることもある。この場合、燃料ガスの供給量は、二次ガス圧である大気圧と空気供給路内の負圧との差圧に応じて変化する。そして、空気供給路内の負圧がファン回転数に応じて変化するため、燃料ガスの供給量はファン回転数即ち空気の供給量に応じて変化する。従って、要求燃焼量に応じてファン回転数を制御することにより、要求燃焼量に応じた量の空気及び燃料ガスがバーナに供給されることになる。
【０００５】
このものでも、ファン回転数が送風量の比例特性を維持できる下限回転数以下になると、要求燃焼量に応じた量の空気や燃料ガスを供給できなくなる。そのため、要求燃焼量が所定値以下になったときに、空気抵抗切換手段で空気供給路の通気抵抗を大きくして、ファン回転数を上記下限回転数以下にせずに、所定値以下の要求燃焼量に応じた量の空気を供給できるようにする必要がある。また、空気供給路の通気抵抗を大きくするだけでは、空気供給路内の負圧の増加で燃料ガスの供給量が要求燃焼量に応じた量を超えてしまうため、空気供給路の通気抵抗を大きくするのに合わせて、ガス供給路の通気抵抗も大きくする必要がある。
【０００６】
そこで、上記従来例では、要求燃焼量が所定値以下になったときに、空気抵抗切換手段で空気供給路の通気抵抗を大きくすると共にガス抵抗切換手段でガス供給路の通気抵抗を大きくし、所定値以下の要求燃焼量に応じた量の空気や燃料ガスを供給できるようにしている。
【０００７】
ここで、上記従来例では、空気供給路を途中で第１と第２の２つの空気通路に分岐させてから合流させ、合流部に第１空気通路からの空気が流れる開口を形成した弁座を設け、この弁座に着座して開口を閉塞する弁で空気抵抗切換手段を構成し、開口を閉塞することで空気供給路の通気抵抗が大きくなるようにしている。また、ガス供給路の下流端を、第２空気通路に接続される２つの分岐通路に分岐し、一方の分岐通路の空気供給路に対する接続口を開閉する弁でガス抵抗切換手段を構成し、接続口を閉塞することでガス供給路の通気抵抗が大きくなるようにしている。
【０００８】
然し、これでは、空気供給路の通気抵抗を大きくする場合、第２空気通路にのみ空気を流すため、負圧があまり発生せず、燃料ガスの吸引力が弱くなって、安定したガス導入が困難になる。また、第１空気路にも空気が流れるようにして空気供給路の通気抵抗を小さくする場合、第２空気通路だけに燃料ガスが導入されるため、第１空気通路に流れた空気に燃料ガスがうまく混合せず、混合気の空燃比に分布ムラを生じやすくなる。
【先行技術文献】
【特許文献】
【０００９】
【特許文献１】特表２０１４−５０２７１９号公報
【発明の概要】
【発明が解決しようとする課題】
【００１０】
本発明は、以上の点に鑑み、空気供給路の通気抵抗を大きくするときも安定して燃料ガスを導入できると共に、混合気の空燃比の分布ムラの発生も防止できるようにした予混合装置を提供することをその課題としている。
【課題を解決するための手段】
【００１１】
上記課題を解決するために、本発明は、空気に燃料ガスを混合し、混合気をファンを介してバーナに供給する予混合装置であって、燃料ガスを供給する流量調節弁を介設したガス供給路の下流端がファンの上流側の空気供給路に接続され、空気供給路の通気抵抗を大小に切換える空気抵抗切換手段と、流量調節弁よりも下流側のガス供給路の部分の通気抵抗を大小に切換えるガス抵抗切換手段とを備えるものにおいて、空気抵抗切換手段は、空気供給路内に回動自在に設けられたバタフライ弁で構成され、バタフライ弁の下流側の空気供給路の部分に、バタフライ弁を配置した空気供給路の部分と同心で、且つ、この部分よりも断面積が小さなベンチュリ部が設けられ、ガス抵抗切換手段の下流側のガス供給路の部分に、ベンチュリ部を全周に亘り囲うガス室と、ガス室からベンチュリ部の下流側に隣接する空気供給路の部分に燃料ガスを吸引するガス吸引部とが設けられ、ガス吸引部は、ベンチュリ部の下流側に隣接する空気供給路の部分の全周に亘り燃料ガスが吸引されるように形成されることを特徴とする。
【００１２】
本発明によれば、ベンチュリ部で空気の流速が速くなって負圧が発生するため、バタフライ弁を空気供給路の長手方向と直交する姿勢に回動して、空気供給路の通気抵抗を大きくするときも、ガス吸引部から安定して燃料ガスを吸引できる。また、ベンチュリ部は、バタフライ弁を配置した空気供給路の部分と同心であるため、ベンチュリ部の全周に亘り均等に負圧が発生し、この負圧により、ガス吸引部からベンチュリ部の下流側に隣接する空気供給路の部分の全周に亘り均等に燃料ガスが吸引される。従って、混合気の空燃比の分布ムラを防止できる。
【００１３】
また、本発明において、バタフライ弁の回転軸線に直交する断面形状はひし形であることが望ましい。これによれば、バタフライ弁を空気供給路の長手方向と直交する姿勢にしたとき、バタフライ弁の空気供給路上流側を向く面の傾斜により、空気がベンチュリ部の周壁面に沿って流れるように案内され、ベンチュリ部の周壁面近傍で空気の流速が最も速くなり、ガス吸引部に作用する負圧が大きくなる。従って、空気供給路の通気抵抗を大きくしたときのガス吸引部からの燃料ガスの吸引の安定性が一層向上する。
【図面の簡単な説明】
【００１４】
【図１】本発明の実施形態の予混合装置を示す切断側面図。
【図２】図１のＩＩ−ＩＩ線で切断した断面図。
【図３】図１のＩＩＩ−ＩＩＩ線で切断した断面図。
【図４】バタフライ弁を閉じ姿勢にしたときのベンチュリ部での流速分布を示すグラフ。
【発明を実施するための形態】
【００１５】
図１を参照して、１は、混合気が噴出して燃焼する燃焼面１ａを有する全一次燃焼式バーナ等から成るバーナである。バーナ１にはファン２が接続されており、本発明の実施形態の予混合装置Ａにより、空気に燃料ガスを混合して、混合気をファン２を介してバーナ１に供給するようにしている。
【００１６】
予混合装置Ａは、ファン２の上流側の空気供給路３と、燃料ガスを供給するガス供給路４とを備えている。ガス供給路４の上流部には、開閉弁５と比例弁やゼロガバナから成る流量調節弁６とが介設されている。また、予混合装置Ａは、空気供給路３の通気抵抗を大小に切換える空気抵抗切換手段と、流量調節弁６よりも下流側のガス供給路４の部分の通気抵抗を大小に切換えるガス抵抗切換手段とを備えている。
【００１７】
図２も参照して、空気抵抗切換手段は、空気供給路３内に軸７１を中心にして回動自在に設けられた、空気供給路３の径よりもある程度小径の円板から成るバタフライ弁７で構成されている。バタフライ弁７の軸７１には、ステッピングモータ等のアクチュエータ７２が連結されている。そして、要求燃焼量が所定値以下になったときに、アクチュエータ７２の作動で、バタフライ弁７を、図１、図２に実線で示す、空気供給路３の長手方向に沿った開き姿勢から、図２に仮想線で示す如く、空気供給路３の長手方向に直交する閉じ姿勢になるように回動させる。閉じ姿勢では、空気供給路３の周面とバタフライ弁７の外周との間の隙間のみを介して空気が流れ、空気供給路３の通気抵抗が大きくなる。
【００１８】
ガス抵抗切換手段は、ガス供給路４内に設けた開閉動作自在な切換弁８で構成される。切換弁８は、ガス供給路４を横断するように設けた弁座８１の上方に対向配置される。弁座８１には、切換弁８で開閉される弁孔８２と、常時開通するバイパス孔８３とが形成されている。そして、切換弁８を下動させて弁座８１に着座させたとき、弁孔８２が閉塞され、燃料ガスがバイパス孔８３のみを介して流れる状態になって、ガス供給路４の通気抵抗が大きくなるようにしている。
【００１９】
切換弁８は、バタフライ弁７の回動に伴い連動機構９を介して開閉動作される。この連動機構９は、図１、図３に示す如く、切換弁８に連結された連結子９１と、連結子９１の上方に対向配置された押圧子９２と、バタフライ弁７の軸７１の端部に取付けた、押圧子９２に当接するカム９３と、切換弁８を連結子９１を介して上方の開き側に付勢する戻しばね９４と、連結子９１と押圧子９２との間に介設した、戻しばね９４よりもばね定数の大きなクッションばね９５とで構成されている。押圧子９２の下端部には、連結子９１に一体の戻しばね９４用のばね受け部９１ａの下面に係合可能な突起９２ａが形成されている。
【００２０】
バタフライ弁７を閉じ姿勢側に回動すると、押圧子９２がカム９３に押されて下動し、クッションばね９５を介して伝達される押圧力により連結子９１が戻しばね９４の付勢力に抗して下方に移動し、バタフライ弁７が閉じ姿勢に到達する前に、切換弁８が弁座８１に着座して閉弁する。その後、バタフライ弁７が閉じ姿勢に達するまでの間、押圧子９２の下動に伴いクッションばね９５が圧縮される。バタフライ弁７を閉じ姿勢から開き姿勢側に回動する際は、バタフライ弁７がある程度開き側に回動されて、突起９２ａがばね受け部９１ａの下面に係合する位置に押圧子９２が上動するまでクッションばね９５の付勢力で切換弁８は閉弁状態に維持される。
【００２１】
ここで、バタフライ弁７がある程度開き側に回動するまでは、空気流量は然程増加しない。そのため、バタフライ弁７がある程度開き側に回動する前に切換弁８が開かれて、燃料ガス量が増加すると、バーナ１に供給される混合気がガスリッチになって不完全燃焼を生じやすくなる。本実施形態では、バタフライ弁７がある程度開き側に回動したところで切換弁８が開き始めるため、バーナ１に供給される混合気はガスリッチにならず、不完全燃焼を確実に防止できる。
【００２２】
また、本実施形態の予混合装置Ａは、バタフライ弁７の下流側の空気供給路３の部分に、バタフライ弁７を配置した空気供給路３の部分と同心で、且つ、この部分よりも断面積が小さなベンチュリ部３１を備えている。更に、ベンチュリ部３１から下流側に向けて断面積が次第に増加する拡径部３２が設けられている。
【００２３】
また、ガス抵抗切換手段たる切換弁８の下流側のガス供給路４の部分には、ベンチュリ部３１を囲うガス室４１と、ガス室４１からベンチュリ部３１の下流側に隣接する空気供給路３の部分、即ち、拡径部３２のベンチュリ部３１寄りの基端部に燃料ガスを吸引するガス吸引部４２とが設けられている。ガス吸引部４２は、拡径部３２の周壁３２ａを基端側の一部でベンチュリ部３１の周壁３１ａから切り離して径方向外方に張り出させることにより形成されている。そして、ガス吸引部４２を周方向に等間隔で複数形成し、拡径部３２の基端部に全周に亘り燃料ガスが吸引されるようにしている。
【００２４】
本実施形態によれば、ベンチュリ部３１で空気の流速が速くなって負圧が発生するため、バタフライ弁７を閉じ姿勢に回動して、空気供給路３の通気抵抗を大きくするときも、ガス吸引部４２から安定して燃料ガスを吸引できる。また、ベンチュリ部３１は、バタフライ弁７を配置した空気供給路３の部分と同心であるため、ベンチュリ部３１の全周に亘り均等に負圧が発生し、この負圧により、ガス吸引部４２から拡径部３２の基端部の全周に亘り均等に燃料ガスが吸引される。従って、混合気の空燃比に分布ムラを生ずることを防止できる。
【００２５】
また、本実施形態では、図２に示す如く、バタフライ弁７を、その回転軸線（軸７１の中心線）に直交する断面形状がひし形になるように形成している。これによれば、バタフライ弁７を閉じ姿勢にしたとき、バタフライ弁７の空気供給路上流側を向く面（図２で下方を向く面）の傾斜により、空気がベンチュリ部３１の周壁面に沿って流れるように案内される。そのため、図４に示す如く、ベンチュリ部３１の周壁面近傍で空気の流速が最も速くなり、ガス吸引部４２に作用する負圧が大きくなる。従って、バタフライ弁７を閉じ姿勢にしたとき、即ち、空気供給路３の通気抵抗を大きくしたときのガス吸引部４２からの燃料ガスの吸引の安定性が一層向上する。尚、図４は、ベンチュリ部３１の図２で左端と右端の間での空気の流速分布を示している。
【００２６】
以上、本発明の実施形態について図面を参照して説明したが、本発明はこれに限定されない。例えば、上記実施形態では、ガス吸引部４２を周方向に間隔を存して形成しているが、周方向に連続するようにガス吸引部を形成してもよい。また、上記実施形態では、ガス抵抗切換手段を、弁孔８２を開閉する切換弁８で構成しているが、弁孔の開度を可変するニードル弁等でガス抵抗切換手段を構成することも可能である。
【符号の説明】
【００２７】
Ａ…予混合装置、１…バーナ、２…ファン、３…空気供給路、３１…ベンチュリ部、４…ガス供給路、４１…ガス室、４２…ガス吸引部、６…流量調節弁、７…バタフライ弁、８…切換弁（ガス抵抗切換手段）。
【図１】
2015230113.tif 000003
【図２】
2015230113.tif 000004
【図３】
2015230113.tif 000005
【図４】
2015230113.tif 000006